(57)【要約】【課題】  弾性変形することにより高さが異なる様々な外装材に共用可能である汎用品としての利便性を有する納め部材および納め構造を提供すること。【解決手段】  納め部材では、下納め材２は、固定部２ａと、被嵌合係止部２ｂを有し、上納め材３は、上下方向に弾性変形可能な上面部４ａと、被嵌合係止部２ｂに嵌合係止して一体化可能な嵌合係止部４ｂを有し、被嵌合係止部２ｂに嵌合係止部４ｂを嵌合係止して一体化した状態で、上面部４ａが外装材９の高さに応じて弾性変形することにより、外装材９表面に弾性的に当接可能に形成してある。そして、かかる納め部材を用いた納め構造では、下地７に下納め材２を固定し、この下納め材２の被嵌合係止部２ｂに上納め材３の嵌合係止部４ｂを嵌合係止し、固定部２ａ上の外装材９高さに応じて弾性変形する上面部４ａで外装材９端部を上側から弾性的に押え付けて備えてある。【選択図】  図４
2006183293.tif 000002
【特許請求の範囲】
【請求項１】
下納め材と上納め材からなり、
下納め材は、固定部と、被嵌合係止部を有し、
上納め材は、上下方向に弾性変形可能な上面部と、前記被嵌合係止部に嵌合係止して一体化可能な嵌合係止部を有し、
被嵌合係止部に嵌合係止部を嵌合係止して一体化した状態で、上面部が外装材の高さに応じて弾性変形することにより、外装材表面に弾性的に当接可能に形成してあることを特徴とする納め部材。
【請求項２】
下納め材は、固定部を左右に、被嵌合係止部を中央に有し、
上納め材は、上面部を左右に、嵌合係止部を中央に有していることを特徴とする請求項１記載の納め部材。
【請求項３】
請求項１または請求項２記載の納め部材を用いた納め構造であって、
下地に下納め材をその固定部を固定具で固定し、
この下納め材の被嵌合係止部に上納め材の嵌合係止部を嵌合係止し、
固定部上の外装材高さに応じて弾性変形する上面部で外装材端部を上側から弾性的に押え付けて備えてあることを特徴とする納め構造。
【請求項４】
請求項２記載の納め部材を用いた納め構造であって、
下地に下納め材をその左右の固定部を固定具で固定し、
この下納め材の被嵌合係止部に上納め材の嵌合係止部を嵌合係止し、
左右の固定部上の外装材高さに応じて弾性変形する左右の上面部で外装材端部を上側から弾性的に押え付けて備え、
上納め材における嵌合係止部と背中合わせ状の被係合部にカバー材の係合部を挿入係合することで、当該カバー材により左右の上面部間を覆設すると共に嵌合係止部が被嵌合係止部に嵌合係止した状態にロックしてあることを特徴とする納め構造。
【請求項５】
上面部と外装材間に止水材を介在してあることを特徴とする請求項３または４記載の納め構造。
【発明の詳細な説明】
【技術分野】
【０００１】
本発明は下り棟、谷、壁立上り納め、壁ステ谷納め等の各種納めを構築するのに有用な納め部材および当該納め部材を用いた納め構造に関する。
【背景技術】
【０００２】
たとえば、特許文献１に記載されている「下り棟包み」がある。この「下り棟包み」の構成は、縦断面逆Ｔ字状の敷目板と、縦断面Ｔ字状の下り棟キャップとの２部材からなり、敷目板における起立状の嵌合部に下り棟キャップの垂下状の係止部を嵌合係止することで、縦断面略エ字状に一体化し、屋根材を下り棟において接続しているものである。
この種の「納め部材（捨て板等）」は、主に下り棟に用いられるが、納めの対称となる外装材の大きさ（高さ）等によってそれぞれ異なった部材を用意しなければならず部材管理の面で問題を抱えている。特許文献１の場合、外装材のハゼ高さによって、複数の下り棟キャップを容易する必要があり、実質、製造される外装材の種類毎にそれぞれ異なった部材（キャップ）を用意しなければならなかった。
【特許文献１】特許２９９１４７６号
【発明の開示】
【発明が解決しようとする課題】
【０００３】
解決しようとする課題は、屋根における部材の共有化を図ることを目的とし、第１には、弾性変形することにより高さが異なる様々な外装材に共用可能である汎用品としての利便性を有する納め部材を、第２には、さらに、棟あるいは谷等の隣り合う外装材間を納めるのに有用な納め部材を、第３には、弾性変形することで高さが異なる外装材に共用可能である共通の納め部材を用いることにより経済的及び施工性ともに有利である納め構造を、第４には、弾性変形することで高さが異なる外装材に共用可能である共通の納め部材を用いることにより、経済的及び施工性ともに有利で、さらに、棟あるいは谷等の隣り合う双方の高さが異なる外装材間の納め構造として最適で、しかも、納めが二重にロックされて強化され、意匠的にもカバー材を任意の形状にでき、デザインの自由性が高い納め構造を、第５には、さらに、高さが異なる外装材の納めと雨仕舞の双方を同時に施工可能である納め構造を提供することにある。
【課題を解決するための手段】
【０００４】
本発明は前記した課題を達成するため、納め部材では以下の構成にしたことを特徴とする。
１．下納め材と上納め材からなり、下納め材は、固定部と、被嵌合係止部を有し、上納め材は、上下方向に弾性変形可能な上面部と、前記被嵌合係止部に嵌合係止して一体化可能な嵌合係止部を有し、被嵌合係止部に嵌合係止部を嵌合係止して一体化した状態で、上面部が外装材の高さに応じて弾性変形することにより、外装材表面に弾性的に当接可能に形成してあることを特徴とする。
２．前記した１において、下納め材は、固定部を左右に、被嵌合係止部を中央に有し、上納め材は、上面部を左右に、嵌合係止部を中央に有していることを特徴とする。
そして、かかる納め部材を用いた納め構造では以下の構成にしたことを特徴とする。
３．前記した１または２記載の納め部材を用いた納め構造であって、下地に下納め材をその固定部を固定具で固定し、この下納め材の被嵌合係止部に上納め材の嵌合係止部を嵌合係止し、固定部上の外装材高さに応じて弾性変形する上面部で外装材端部を上側から弾性的に押え付けて備えてあることを特徴とする。
４．前記した２記載の納め部材を用いた納め構造であって、下地に下納め材をその左右の固定部を固定具で固定し、この下納め材の被嵌合係止部に上納め材の嵌合係止部を嵌合係止し、左右の固定部上の外装材高さに応じて弾性変形する左右の上面部で外装材端部を上側から弾性的に押え付けて備え、上納め材における嵌合係止部と背中合わせ状の被係合部にカバー材の係合部を挿入係合することで、当該カバー材により左右の上面部間を覆設すると共に嵌合係止部が被嵌合係止部に嵌合係止した状態にロックしてあることを特徴とする。
５．前記した３または４において、上面部と外装材間に止水材を介在してあることを特徴とする。
【０００５】
本発明における嵌合係止部と被嵌合係止部の嵌合係止関係は、両者が嵌合係止することで上下の納め材の一体化をもたらすものであればよく、その限りにおいて構造上の制限はない。
下納め材は、左右の固定部と中央の被嵌合係止部が、一体に形成された一体物であってもよいし、それぞれが固定部と被嵌合係止部からなる左右別体の別物であってもよい。この別物である場合、左右対称形であれば一つの定形部材で共用可能になる。
上納め材は左右の上面部と中央の嵌合係止部が一体に形成された一体物であってもよいし、それぞれが上面部と嵌合係止部からなる左右別体の別物であってもよい。この別物である場合、左右対称形であれば一つの定形部材で共用可能になる。
上納め材が押え部材とカバー材からなる場合、押え部材は左右の上面部と中央の嵌合係止部が一体に形成された一体物であってもよいし、左右別体の別物であってもよい。この別物である場合、左右対称形であれば一つの定形部材で共用可能になる。
嵌合係止部と被嵌合係止部の段数は、一段であってもよいし、複数段にしてあるものでもよい。後者であれば、上下の嵌合深さを調整することで、上面部の弾性変形率すなわち外装材表面に対する当接圧力の程度を強弱調整可能になる。嵌合係止部と被嵌合係止部の雄雌関係はいずれか一方が雄で他方が雌であればよく制限がない。
また、上納め材は弾性変形することで弾性回復力を発生する形状、部材であればよく、特に制限はないが、耐候性等を考慮すると外装材と同じ材質の金属板をロール成形したもの等が適している。下納め材は金属製でもよいしプラスチック製のものであってもよい。
カバー材は、左右の上面部間を覆設すると共に上納め材の嵌合係止部が下納め材の被嵌合係止部に嵌合係止した状態にロックし得るものであればよい。
【発明の効果】
【０００６】
Ａ．請求項１により、屋根における部材の共有化を図ることができ、上面部が弾性変形して外装材表面に弾性的に当接することで、高さが異なる様々な外装材に対応することができると共に下り棟、谷、壁立上り納め、壁ステ谷納め等の各納めに共用可能である汎用品としての利便性を有する。
したがって、部材数を削減でき、製作コストが安価に済む。
Ｂ．請求項２により、棟あるいは谷等の隣り合う外装材間を納めるのに有用である。
Ｃ．請求項３により、弾性変形することで高さが異なる外装材に共用可能である共通の納め部材を用いていることによって、様々な高さの外装材の納め構造として経済的及び施工性ともに有利である。
Ｃ．請求項４により、弾性変形することで高さが異なる外装材に共用可能である共通の納め部材を用いていることによって、様々な高さの外装材の納め構造として経済的及び施工性ともに有利であるし、さらに、棟あるいは谷等の隣り合う双方の高さが異なる外装材間の納め構造としても最適で、しかも、納めが二重にロックされていて強化された構造であり、意匠的にもカバー材を任意の形状にでき、デザインの自由性が高い。
Ｄ．請求項５により、さらに、高さが異なる外装材の納めと雨仕舞の双方を同時に施工することができる。
【発明を実施するための最良の形態】
【０００７】
図１には本発明の納め部材における実施の１形態を例示している。
納め部材１は、押出し成形した軽量金属製の長尺の下納め材２と、ロール成形した金属板製の長尺の上納め材３からなり、下納め材２は、左右に固定部２ａを、中央に被嵌合係止部２ｂを、平行状に並設してある。固定部２ａ上面には、３本のリブ２ｃを平行状に端から端まで突設してある。この各リブ２ｃは、左右間隔をほぼ等間隔状にし、リブ高さをビス等の固定具８における頭部分と同じ或いは若干高くすることにより、固定部２ａを下地７に固定する際に固定具８頭部分がリブ２ｃ上に突出しないようにし、リブ２ｃ上に外装材たとえば縦葺屋根材９端部が載乗し得るように形成してある。
被嵌合係止部２ｂは、左右一対の起立部２ｄ内面上端に被係止鍔部２ｅを左右対称状に突設して形成してあり、この被係止鍔部２ｅに嵌合係止部４ｂの係止鍔部４ｆが係止することで、下納め材２と上納め材３が一体化し得るようにしてある。
また、下納め材２における左右の固定部２ａの中央側裏面には、凹条溝２ｆを長さ方向に沿い平行状に凹設してあり、この凹条溝２ｆを山折れ部として、左右の固定部２ａを適宜折り下げることで棟の屋根勾配に対応し得るようにしてある。
【０００８】
上納め材３は、左右一対で左右対称形状の押え部材４，４とカバー材５からなり、押え部材４は、ロール成形した金属板製の長尺のもので、下り傾斜状の上面部４ａと、この上面部４ａ上端から折り下げてある嵌合係止部４ｂを有している。上面部４ａは下端を折り返して当接部４ｃを設けると共に当接部４ｃ寄りの上面部４ａ裏面に発泡ゴム等の止水材４ｄを貼着してあり、この上面部４ａが縦葺屋根材９の高さに応じて上下方向に弾性変形することで、縦葺屋根材９に当接部４ｃが当接し、止水材４ｄが縦葺屋根材９表面に隙間なく圧接して雨仕舞するように形成してある。
嵌合係止部４ｂは、上面部４ａ上端から折り下げてある垂下部４ｅ途中部分に係止鍔部４ｆを被嵌合係止部２ｂの被係止鍔部２ｅと嵌合係止可能に突設し、この係止鍔部４ｆを被係止鍔部２ｅに嵌合係止することにより、上下の納め材２，３が一体化可能に形成してある。また、垂下部４ｅには被係合部４ｇを係止鍔部４ｆと背合わせ状に凹設してあり、この被係合部４ｇにカバー材５の係合部５ｂを挿入係合可能に形成してある。
【０００９】
カバー材５は、押出し成形した軽量金属製の長尺のもので、隣り合う左右の押え部材４，４上端に跨って覆設される覆い部５ａと、覆い部５ａから垂設された係合部５ｂを有しており、この係合部５ｂを被係合部４ｇに挿入して係合した状態で、嵌合係止部４ｂが被嵌合係止部２ｂに嵌合係止状態にロックされるように形成してある。
【００１０】
図２には本発明の納め部材における実施の他の１形態を例示しており、構成は前記した図１のものと基本的に同一であるため、共通している構成の説明は符号を準用することで省略し、相違する構成について説明する。
上納め材３は、左右対称形状の押え部材６とカバー材５からなり、押え部材６は、ロール成形した金属板製の長尺のもので、略Ｖ字状の嵌合係止部６ａと、この嵌合係止部６ａ両上端からそれぞれ折り下げてある下り傾斜状の上面部６ｂを有している。
嵌合係止部６ａは、略Ｖ字状の嵌合係止部６ａ途中部分に係止鍔部６ｃを被嵌合係止部２ｂの被係止鍔部２ｅと弾性的に嵌合係止可能に突設し、この係止鍔部６ｃを被係止鍔部２ｅに嵌合係止することにより、上下の納め材２，３が一体化可能に形成してある。また、嵌合部６ｃには被係合部６ｄを係止鍔部６ｃと背合わせ状に凹設してあり、この被係合部６ｄにカバー材５の係合部５ｂを挿入係合した状態で、嵌合係止部４ｂが被嵌合係止部２ｂに嵌合係止状態にロックされるように形成してある。
上面部６ｂは下端を折り返して当接部６ｅを設けると共に当接部６ｅ寄りの上面部６ｂ裏面に発泡ゴム等の止水材６ｆを貼着してあり、この上面部６ｂが縦葺屋根材９の高さに応じて上下方向に弾性変形することで、縦葺屋根材９に当接部６ｅが当接し、止水材６ｆが縦葺屋根材９表面に隙間なく圧接して雨仕舞するように形成してある。
【００１１】
図３には本発明の納め部材における下納め材の実施の他の１形態を例示しており、構成は前記した図１の下納め材と基本的に同一であるため、共通している構成の説明は符号を準用することで省略し、相違する構成について説明する。
図３の（Ａ）に例示した下納め材２０は、一方に固定部２０ａを、他端に被嵌合係止部２０ｂを、平行状に並設してある。固定部２０ａ上面には、リブ２０ｃ上に外装材たとえば縦葺屋根材９端部が載乗し得るように形成してある。
被嵌合係止部２０ｂは、左右一対の起立部２０ｄにおける左側の起立部２０ｄ内面上端に被係止鍔部２０ｅを突設してあり、この被係止鍔部２０ｅに嵌合係止部４ｂの係止鍔部４ｆが係止することで、下納め材２０と押え部材４が一体化し得るように形成してある。
また、下納め材２０における固定部２０ａと被嵌合係止部２０ｂとの間の下面には、凹条溝２０ｆを長さ方向に沿い平行状に凹設してあり、この凹条溝２０ｆを山折れ部として、固定部２０ａを適宜折り下げることで棟の屋根勾配に対応し得るようにしてある。
図３の（Ｂ）に例示した下納め材２１は、一方に固定部２１ａを、他端に被嵌合係止部２１ｂを、平行状に並設してある。固定部２１ａ上面には、リブ２１ｃ上に外装材たとえば縦葺屋根材９端部が載乗し得るように形成してある。
被嵌合係止部２１ｂは、左右一対の起立部２１ｄにおける右側の起立部２１ｄ内面上端に被係止鍔部２１ｅを突設してあり、この被係止鍔部２１ｅに嵌合係止部４ｂの係止鍔部４ｆが係止することで、下納め材２１と押え部材４が一体化し得るように形成してある。
【００１２】
図４には本発明の納め構造における実施の１形態として、前記した図１の納め部材を採用した下り棟納め構造を例示している。
棟の下地７に下納め材２を左右の固定部２ａが下地７の勾配に沿うように凹条溝２ｆから曲げ調整して配設し、固定部２ａにおけるリブ２ｃ間に固定具８を通して下地７に固定してある。固定具８の頭部分はリブ２ｃ上に突出しておらず、縦葺屋根材９端部がリブ２ｃ上に安定して載置されるのを妨げない。この下納め材２における左右の固定部２ａ上には高さが低い縦葺屋根材９端部をそれぞれ載せてリブ２ｃ上に載置してある。
かかる下納め材２における被嵌合係止部２ｂには、左右の押え部材４の嵌合係止部４ｂをそれぞれ嵌合係止し、縦葺屋根材９端部表面に強制的に押し付けられることによって弾性変形した上面部４ａで縦葺屋根材９端部を上側から押え付け、且つ、上面部４ａで止水材４ｄを縦葺屋根材９端部表面に隙間なく圧接させて縦葺屋根材９表面側から裏面側への浸水を阻止してある。
そして、下納め材２と一体化した左右の押え部材４における被係合部４ｇにはカバー５の係合部５ｂを挿入係合することで、左右の上面部４ａ間を覆い雨仕舞すると共に嵌合係止部４ｂが被嵌合係止部２ｂに嵌合係止した状態にロックしてある。
【００１３】
図５には本発明の納め構造における実施の１形態として、前記した図２の納め部材を採用した下り棟納め構造を例示している。
棟の下地７に下納め材２を左右の固定部２ａが下地７の勾配に沿うように凹条溝２ｆから曲げ調整して配設し、固定部２ａにおけるリブ２ｃ間に固定具８を通して下地７に固定してある。固定具８の頭部分はリブ２ｃ上に突出しておらず、縦葺屋根材９端部がリブ２ｃ上に安定して載置されるのを妨げない。この下納め材２における左右の固定部２ａ上には高さが高い縦葺屋根材９端部をそれぞれ載せてリブ２ｃ上に載置してある。
かかる下納め材２における被嵌合係止部２ｂには、押え部材６の嵌合係止部６ａを嵌合係止し、縦葺屋根材９端部表面に強制的に押し付けられることによって弾性変形した上面部６ｂで縦葺屋根材９端部を上側から押え付け、且つ、上面部６ｂで止水材６ｆを縦葺屋根材９端部表面に隙間なく圧接させて縦葺屋根材９表面側から裏面側への浸水を阻止してある。
そして、下納め材２と一体化した押え部材６における被係合部６ｄにはカバー５の係合部５ｂを挿入係合することで、左右の上面部６ｂ間を覆い雨仕舞すると共に嵌合係止部６ａが被嵌合係止部２ｂに嵌合係止した状態にロックしてある。
【００１４】
前記した図４〜５における上面部４ａ，６ｂが弾性変形する度合は、外装材の高さに応じて変形が大きかったり小さかったりし、外装材の高さが低ければ弾性変形は小さくなるし、外装材の高さが高ければ弾性変形は大きくなり、弾性変形することで異なる高さの外装材に対応し得ることになる。また、図３の（Ａ）の被嵌合係止部２０ｂにおける被係止鍔部２０ｅは、少なくとも左右の起立部２０ｄのいずれか一方に形成されていればよいが、左右の起立部２０ｄの双方に形成するようにしてもよい。同様に、図３の（Ｂ）の被嵌合係止部２１ｂにおける被係止鍔部２１ｅは、少なくとも左右の起立部２１ｄのいずれか一方に形成されていればよく、左右の起立部２０ｄの双方に形成してもよい。
【図面の簡単な説明】
【００１５】
【図１】本発明の納め部材における実施の１形態を例示している縦断面図。
【図２】本発明の納め部材における実施の他の１形態を例示している縦断面図。
【図３】（Ａ）および（Ｂ）は本発明の納め部材における下納め部の実施の他の１形態を例示している縦断面図。
【図４】本発明の納め構造における実施の１形態として、図１の納め部材を用いて施工した下り棟納め構造を例示している縦断面図。
【図５】本発明の納め構造における実施の１形態として、図２の納め部材を用いて施工した下り棟納め構造を例示している縦断面図。
【符号の説明】
【００１６】
１  納め部材
２，２０，２１  下納め材
２ａ，２０ａ，２１ａ  固定部
２ｂ，２０ｂ，２１ｂ  被嵌合係止部
２ｃ，２０ｃ，２１ｃ  リブ
２ｄ，２０ｄ，２１ｄ  起立部
２ｅ，２０ｅ，２１ｅ  被係止鍔部
２ｆ，２０ｆ  凹条溝
３  上納め材
４，６  押え部材
４ａ，６ｂ  上面部
４ｂ，６ａ  嵌合係止部
４ｃ，６ｅ  当接部
４ｄ，６ｆ  止水材
４ｅ  垂下部
４ｆ，６ｃ  係止鍔部
４ｇ，６ｄ  被係合部
５  カバー材
５ａ  覆い部
５ｂ  係合部
７  下地
８  固定具
９  縦葺屋根材（外装材）
【図１】
2006183293.tif 000003
【図２】
2006183293.tif 000004
【図３】
2006183293.tif 000005
【図４】
2006183293.tif 000006
【図５】
2006183293.tif 000007